(57)【特許請求の範囲】
【請求項１】
水中に設置した生け簀と水上の給餌装置とを垂直方向の給餌路にて連結し、該給餌装置は水を収納する水タンクを備え、上記水タンクの水を上記給餌路に供給することにより上記生け簀に上記水タンクに供給されている餌を供給し、上記水タンクは水が無くなると浮上するよう浮力の設定をした浮力体により水面の位置が外界の水面の位置より高位となるよう設けたことを特徴とする水中生け簀給餌装置。
【請求項２】
請求項１記載の水中生け簀給餌装置において、上記給餌装置と連結された給餌路を上記生け簀の直上に配置することを特徴とする水中生け簀給餌装置。
【請求項３】
請求項１記載の水中生け簀給餌装置において、上記給餌装置は２槽からなり、上部に餌を収納する餌タンクを備えるとともに、下部に上記水タンクを備えることを特徴とする水中生け簀給餌装置。
【請求項４】
請求項３記載の水中生け簀給餌装置において、上記餌タンクと上記水タンクとの間に第１弁を開閉自在に設け、上記水タンクと上記給餌路との間に第２弁を開閉自在に設けたことを特徴とする水中生け簀給餌装置。
【請求項５】
請求項１記載の水中生け簀給餌装置において、上記給餌装置は１槽からなり、該槽に餌供給用の開閉蓋を設けることを特徴とする水中生け簀給餌装置。
【請求項６】
請求項３乃至請求項５いずれか一記載の水中生け簀給餌装置において、上記給餌装置は槽と上記給餌路との間に弁を開閉自在に設けることを特徴とする水中生け簀給餌装置。
【請求項７】
請求項３乃至請求項５いずれか一記載の水中生け簀給餌装置において、上記給餌装置は水を上記水タンクに強制的に送給するポンプを備えることを特徴とする水中生け簀給餌装置。
【請求項８】
請求項３乃至請求項５いずれか一記載の水中生け簀給餌装置において、上記給餌装置は水を上記水タンクに強制的に送給するポンプを備えるとともに、槽と上記給餌路との間に弁を開閉自在に設けることを特徴とする水中生け簀給餌装置。
【請求項９】
請求項１記載の水中生け簀給餌装置において、上記水タンクの周囲に浮力体を設けたことを特徴とする水中生け簀給餌装置。
【請求項１０】
請求項９記載の水中生け簀給餌装置において、上記浮力体が浮力を可変とすることを特徴とする水中生け簀給餌装置。
【請求項１１】
請求項１記載の水中生け簀給餌装置において、上記水タンクに通管を設けたことを特徴とする水中生け簀給餌装置。
【発明の詳細な説明】
【０００１】
【発明の属する技術分野】
本願発明は、水中に設置された生け簀に養殖されている魚介類に餌を与える水中生け簀給餌方法及び同装置に関する。
【０００２】
【従来の技術】
従来、水中に設置された生け簀に養殖されている魚介類に餌を与えるには、生け簀を引き上げて餌を与えたり、水面から生け簀付近に餌を投入したり、あるいはダイバーが潜水し餌を与えていた。
【０００３】
【発明が解決しようとする課題】
しかし、前二者は時間と手間がかかり、また水面に撒かれた餌が拡散するため、効率が悪いという欠点があった。また、後者は費用がかかりリスクを伴うという欠点があった。
【０００４】
本願発明は、上記背景に鑑み、水中に設置された生け簀に養殖されている魚介類に効率よく給餌することを目的とする。
【０００５】
【課題を解決するための手段】
上記目的達成のため、本願発明による水中生け簀給餌装置は、水中に設置した生け簀と水上の給餌装置とを垂直方向の給餌路にて連結し、該給餌装置は水を収納する水タンクを備え、上記水タンクの水を上記給餌路に供給することにより上記生け簀に上記水タンクに供給されている餌を供給し、上記水タンクは水が無くなると浮上するよう浮力の設定をした浮力体により水面の位置が外界の水面の位置より高位となるよう設けたことを特徴とする。
また、請求項１記載の水中生け簀給餌装置において、上記給餌装置と連結された給餌路を上記生け簀の直上に配置することを特徴とする。
また、請求項１記載の水中生け簀給餌装置において、上記給餌装置は２槽からなり、上部に餌を収納する餌タンクを備えるとともに、下部に上記水タンクを備えることを特徴とする。
また、請求項３記載の水中生け簀給餌装置において、上記餌タンクと上記水タンクとの間に第１弁を開閉自在に設け、上記水タンクと上記給餌路との間に第２弁を開閉自在に設けたことを特徴とする。
また、請求項１記載の水中生け簀給餌装置において、上記給餌装置は１槽からなり、該槽に餌供給用の開閉蓋を設けることを特徴とする。
また、請求項３乃至請求項５いずれか一記載の水中生け簀給餌装置において、上記給餌装置は槽と上記給餌路との間に弁を開閉自在に設けることを特徴とする。
また、請求項３乃至請求項５いずれか一記載の水中生け簀給餌装置において、上記給餌装置は水を上記水タンクに強制的に送給するポンプを備えることを特徴とする。
また、請求項３乃至請求項５いずれか一記載の水中生け簀給餌装置において、上記給餌装置は水を上記水タンクに強制的に送給するポンプを備えるとともに、槽と上記給餌路との間に弁を開閉自在に設けることを特徴とする。
また、請求項１記載の水中生け簀給餌装置において、上記水タンクの周囲に浮力体を設けたことを特徴とする。
また、請求項９記載の水中生け簀給餌装置において、上記浮力体が浮力を可変とすることを特徴とする。
また、請求項１記載の水中生け簀給餌装置において、上記水タンクに通管を設けたことを特徴とする。
【０００６】
【発明の実施の形態】
次に、実施の形態を示す図面に基づき本願発明による水中生け簀給餌方法及び同装置をさらに詳しく説明する。図１において、生け簀１は海底ＳＧに設置され、この中に適宜魚介類が養殖されている。一方、海面Ｓには給餌装置３を設け、該給餌装置３と生け簀１とはビニールホース、鉄パイプ等からなる管状の給餌路５により連結される。上記給餌装置３は２槽からなり、上部に餌６を入れる餌タンク７を備え、下部に水８を入れる水タンク９を備える。上記餌タンク７と上記水タンク９との間には、シャッタ弁作動機構１１により開閉自在とされた第１弁１３を設ける。また水タンク９と給餌路５の接続口との間には、上記シャッタ弁作動機構１１により開閉自在とされた第２弁１５を設ける。水タンク９の周囲には浮力体１７を設け、水タンク９を海面Ｓより高位置に設ける。１９は空気抜きあるいは水の補給のために上記水タンク９に設けた通管である。
【０００７】
次に給餌作業の手順を説明する。シャッタ弁作動機構１１を作動させ、第１弁１３及び第２弁１５を開とすると、餌タンク７より餌６が水タンク９内に落下し、また水タンク９より給餌路５内に水８が落下する。このとき水タンク９の水面１０は給餌装置３の余剰浮力分だけ海面Ｓより高位に位置しており、海面Ｓと水タンク９内の水面１０との間に高さｈ2 が生ずるため、水の流れが発生する。
【０００８】
この点をさらに詳しく説明する。まず給餌路５に連通する水タンク９内の水の水面１０は外界、即ち、海面Ｓより高位置となっている。したがって、給餌路５の出口５ａの水圧Ｐ2 と外界の水圧Ｐ1 は、数１及び数２で示す値となっている。ここでｈ1 は海底ＳＧから海面Ｓまでの高さ、ｈ2 は海面Ｓと水面１０との間の高さである。即ち、給餌路５の出口５ａの水圧Ｐ2 と外界の水圧Ｐ1 との関係はＰ2 ＞Ｐ1 であるから、水は圧力の高い方から低い方に流れ、給餌路５内では出口５ａに向かって水の流れが発生する。
【０００９】
【数１】
0003946333.tif 000002
【００１０】
【数２】
0003946333.tif 000003
【００１１】
よって、この水の流れに乗って水タンク９内に落下した餌６が給餌路５を通って生け簀１内に供給されることになる。餌６を乗せてきた水の流れは生け簀１より海中に流出する。なお、給餌装置３は水８が無くなると浮上するように浮力体１７の浮力を設定してあるので、水タンク９内の水面は絶えず海面Ｓより高位にある。またこの状態で通管１９より水８の補給をする。餌６の供給は開閉蓋７ａを開けて適宜に行なう。
【００１２】
このように本実施の形態による水中生け簀給餌方法及び同装置によれば、簡易な構成の装置により、水中に設置された生け簀に養殖されている魚介類に効率よく給餌することができる。また装置の構成が簡易であるため、メンテナンス等は殆んどフリーである。
【００１３】
本願発明による水中生け簀給餌方法及び同装置は上記実施の形態に限定されない。例えば、給餌装置３は、図２乃至図４に示すように、１槽式であってもよい。１槽式の場合、給餌装置３は水タンク９のみからなるため、餌６の供給は水タンク９に設けた開閉蓋２１を開けて行なうことになる。
【００１４】
また給餌方式は任意であり、例えば弁方式、ポンプ方式、弁とポンプの併用方式等が考えられる。
【００１５】
図２は給餌装置３が１槽式で給餌方式が弁方式の場合である。この場合は、給餌を水タンク９と給餌路５との間に設けたシャッタ弁作動機構１１により開閉自在とされた弁１６にて行なう。
【００１６】
図３は給餌装置３が１槽式で給餌方式がポンプ方式の場合である。この場合は、給餌をポンプ２３にて行なう。該ポンプ２３は海中に連通された導管２５により水タンク９に連結しており、水タンク９内に水８がなくなった場合海水を給餌路５内に強制的に送給する。なお、ポンプ２３としては潮流によって揚水できるポンプ、波力によって揚水できるポンプ等が考えられる。またポンプ２３の設置位置は任意であり、例えば水中であってもよい。
【００１７】
図４は給餌装置３が１槽式で給餌方式が弁とポンプの併用方式の場合である。この場合は、図２で述べた弁１６と図３で述べたポンプ２３を組み合わせてあり、ポンプ２３は水タンク９内に収容された水８の水面１０が設定値より小となったとき作動するよう制御されている。また弁１６は水流を発生させるときだけ開となるよう制御されている。
【００１８】
なお、図示しないが給餌装置３が１槽式で給餌方式がポンプ方式の場合、あるいは、給餌装置３が１槽式で弁とポンプの併用方式の場合も考えられる。
【００１９】
次に餌タンク７及び水タンク９の開蓋は、第１弁１３及び第２弁１５が同時でなくともよく、いずれかの弁の開蓋の先後を問わない。
【００２０】
また給餌路５は、図６に示すように、給餌装置３とのみ連結させ、生け簀１には連結せずその直上に配置することとしてもよい。図６は２槽式の給餌装置３で図示したが、１槽式であってもよいのはもちろんである。
【００２１】
また浮力体１７の設置態様は任意である。例えば、図５に示すように、水タンク９の底部に設置してもよい。この場合は、まず錘り等を用いて給餌装置３を水没させない範囲で沈める。すると水８が生け簀１より給餌路５を経て逆流するので、海面Ｓと同じ高さになるまで水タンク９内に水８を入れる。しかる後餌（図示せず）を入れ錘り等を外すと、給餌装置３は浮上し、図５に示すような状態となり、水面の高低差が出来るため給餌可能となる。
【００２２】
さらに浮力体１７の浮力を可変とすれば、給餌装置３の重量に適宜に対応させ水面差を形成することができるので補給に便利である。
【００２３】
本願発明は水中に設置される生け簀１にはすべて適用することができる。したがって、生け簀１を設置する場所は、海だけでなく、例えば河川湖も含まれ、また水底だけでなく水中も含まれる。
【００２４】
なお、本願発明において水タンク９に入れる水８とは、生け簀１の周りにある水、例えば、海に設置する場合は海水を湖の場合は湖水をいう。
【００２５】
【発明の効果】
このように、本願発明による水中生け簀給餌方法及び同装置によれば、水中に設置された生け簀に養殖されている魚介類に効率よく給餌することができる。
【図面の簡単な説明】
【図１】本願発明による水中生け簀給餌装置の実施の形態を示す概略正面図である。
【図２】本願発明による水中生け簀給餌装置の他の実施の形態を示す概略正面図である。
【図３】本願発明による水中生け簀給餌装置の他の実施の形態を示す概略正面図である。
【図４】本願発明による水中生け簀給餌装置の他の実施の形態を示す概略正面図である。
【図５】浮力体の他の実施の形態を示す図である。
【図６】本願発明による水中生け簀給餌装置のさらに他の実施の形態を示す概略正面図である。
【符号の説明】
１    生け簀
３    給餌装置
５    給餌路
５ａ  出口
６    餌
７    餌タンク
７ａ  開閉蓋
８    水
９    水タンク
１０  水面
１１  シャッタ弁作動機構
１３  第１弁
１５  第２弁
１６  弁
１７  浮力体
１９  通管
２１  開閉蓋
２３  ポンプ
２５  導管
Ｓ    海面
ＳＧ  海底
【図１】
0003946333.tif 000004
【図２】
0003946333.tif 000005
【図３】
0003946333.tif 000006
【図４】
0003946333.tif 000007
【図５】
0003946333.tif 000008
【図６】
0003946333.tif 000009